(57)【要約】  【課題】  構造が簡単で、支え棒に曲げ（撓み）応力が加わらず、かつ突極界磁コアの強い強度が要求されない回転電気機械を提供すること。  【解決手段】  回転軸１と、該回転軸１支持される突極界磁コア２と、該突極界磁コア２のコイル溝に巻装される界磁コイル４とを有する回転電気機械にあって、突極界磁コア２の軸方向側端部より突出する界磁コイル２のコイルエンドには、外周側にコイル押え板５を設け、該コイル押え板５を支える支え棒６を回転軸１に固定してなることを特徴とする。【選択図】  図１
2005080374.tif 000002
【特許請求の範囲】
【請求項１】
回転軸と、該回転軸に支持される突極界磁コアと、該突極界磁コアのコイル溝に巻装される界磁コイルとを有する回転電気機械にあって、
前記突極界磁コアの軸方向側端部より突出する前記界磁コイルのコイルエンドには、外周側にコイル押え板を設け、該コイル押え板を支える支え棒を前記回転軸に固定してなることを特徴とする回転電気機械。
【請求項２】
請求項１記載の回転電気機械にあって、
前記支え棒は前記回転軸に螺合する螺子部を有することを特徴とする回転電気機械。
【請求項３】
請求項１記載の回転電気機械にあって、
前記支え棒の外周側端部側にナット用螺子を設け、該ナット用螺子に前記コイル押え板を支える止めナットを螺合してなることを特徴とする回転電気機械。
【請求項４】
請求項１から３のいずれか一つに記載されている回転電気機械にあって、
前記突極界磁コアの軸方向側端部と前記界磁コイルとの間に隙間を設けてコイル冷却用通風ダクトを形成したことを特徴とする回転電気機械。
【請求項５】
請求項１から３のいずれか一つに記載されている回転電気機械にあって、
前記界磁コイルが束ねられたコイル束を複数備え、先に巻装されたコイル束の上に重ね巻きするように巻装し、前記軸方向側端部より突出するところには、重なり合うコイル束の間に隙間を設けてコイル冷却用通風ダクトを形成したことを特徴とする回転電気機械。
【請求項６】
請求項５記載の回転電気機械にあって、
前記コイル冷却用通風ダクト内に前記支え棒を挿入したことを特徴とする回転電気機械。
【請求項７】
請求項６記載の回転電気機械にあって、
前記支え棒を中にして左右に振り分けるように設けられる前記コイル押え板の通風孔が前記コイル冷却用通風ダクトと連通するように配置されることを特徴とする回転電気機械。
【請求項８】
請求項１記載の回転電気機械にあって、
前記突極界磁コアの軸方向側端部には、突極界磁コアを形成する積層鋼板より厚い鋼板で形成された締付側板を備え、
前記コイル押え板の内側端部を締付側板に係合させたことを特徴とする回転電気機械。
【発明の詳細な説明】
【技術分野】
【０００１】
本発明は、回転発電機または回転電動機等の回転電気機械に関し、特に界磁コイル部の支持に関するものである。
【背景技術】
【０００２】
従来の回転発電機は、特開平１１−３４１７２４号公報に示されているように突極界磁コアのコイル溝に巻装される界磁コイルとを有する回転電気機械にあって、サポートリングを支持する複数の支え棒でコイルエンドを押えている。そして、その複数の支え棒は、回転軸に平行に配置され、かつ突極界磁コアに取り付けられている。
【０００３】
【特許文献１】特開平１１−３４１７２４号公報
【発明の開示】
【発明が解決しようとする課題】
【０００４】
上記の従来のものにあっては、一つのコイルエンドがサポートリングを支える複数の支え棒で抑えているので構造が複雑である。また、支え棒は回転軸に平行に配置されているので、回転発電機の回転遠心力による曲げ（撓み）応力が作用する。さらに支え棒は突極界磁コアに取り付けられているので、突極界磁コアの強度を強くしなければならない。
【０００５】
本発明は、上記の問題に対処し、その目的とするところは、構造が簡単で、支え棒に曲げ（撓み）応力が加わらず、かつ突極界磁コアの強い強度が要求されない回転電気機械を提供せんとするものである。
【課題を解決するための手段】
【０００６】
本発明は、突極界磁コアのコイル溝に巻装される界磁コイルとを有する回転電気機械にあって、突極界磁コアの軸方向側端部より突出する界磁コイルのコイルエンドには、外周側にコイル押え板を設け、コイル押え板を支える支え棒を回転軸に固定してなることを特徴とする。
【発明の効果】
【０００７】
本発明によれば、突極界磁コアの軸方向側端部より突出する界磁コイルのコイルエンドには、外周側にコイル押え板を設け、該コイル押え板を支える支え棒を回転軸に固定することで、構造が簡単で、支え棒に曲げ（撓み）応力が加わらず、かつ軽量なる突極界磁コアの回転電気機械を提供できる。
【発明を実施するための最良の形態】
【０００８】
以下、本発明の実施例を図１〜図３に基づいて説明する。
【０００９】
この実施例で示すものは回転発電機である。
【００１０】
回転軸１には突極界磁コア２が支持される。突極界磁コア２は、積層鋼板を重ねて形成される。突極界磁コア２の軸方向側端部には、締付側板３が備えられ、この締付側板３で、積み重ねた積層鋼板を両側から締めて突極界磁コア２を形成する。
【００１１】
突極界磁コア２は、両側に界磁コイル４が巻装されるコイル溝を有する。このコイル溝の形成で、突極界磁コア２の外周側先端が傘のような形状になるのである。また傘のような形状によって、コイル溝に巻装された界磁コイル４は高速回転による遠心力に抗して受け止められるのである。
【００１２】
界磁コイル４は束ねた状態で巻装される。二束のコイルが重なるようにして巻装されている。内側のコイル束の上（外周）に外側のコイル束が重なるように巻かれているのである。
【００１３】
突極界磁コア２の軸方向側端部より突出する界磁コイル４のコイルエンドは、コイル押え板５で押えられる。コイル押え板５は、コイルエンドの外周側にあてがうように置かれる。コイル押え板５に挿通される支え棒６で、コイル押え板５は支えられる。コイル押え板５の内側端部は前記締付側板３に形成した係止穴に係合されるので、コイル押え板５は、内側端部の係合と支え棒６により支えられるのである。コイル押え板５には、支え棒６が挿通される挿通穴を挟んで両側に通風孔７が設けられる。
【００１４】
コイルエンドには、界磁コイル４の内側コイル束と、界磁コイル４の外側コイル束との間に冷却通風ダクト９としての隙間が設けられ、この隙間に前記支え棒６が挿通される。
【００１５】
支え棒６は内周側端部に螺子が形成されている。回転軸１には螺子穴（螺子部）が形成されている。螺子穴（螺子部）に支え棒６の螺子を螺合して支え棒６は回転軸１に取り付け固定される。支え棒６は回転軸１の軸方向に対してほぼ直交するように取り付けられる。支え棒６の外周側端部にナット用螺子を設け、このナット用螺子に止めナット８を螺合することにより、コイル押え板５は支え棒６から外れないように止められる。
【００１６】
冷却通風ダクト９は、界磁コイル４の内側コイル束と締付側板３との間にも設けられる。
【００１７】
斯かる回転電動機において、界磁コイル４のコイルエンドは、高速回転により外周側に撓む遠心力を受ける。コイルエンドはコイル押え板５で外周側から押えられているので、その撓みは阻止される。
【００１８】
従来例のものは、前述したようにサポートリングを支持する複数の支え棒で一つのコイルエンドを押えている。本発明の前記実施例ではコイル押え板５を一本の支え棒６で支持するもので、従来例に比べ構成が簡単で、組み立／分解性が容易である。また支え棒６は回転軸１の軸方向に対してほぼ直交するように取り付けられているので、従来例（支え棒は回転軸に対し平行に置かれるので、支え棒自体が撓む遠心力を受ける）のものとは違って撓む作用を受けず、少ない本数の支え棒６でも支持できる丈夫な構造である。
【００１９】
なお、遠心力の大きさに応じて、支え棒６の数を増やすことも可能である。
【００２０】
支え棒６は回転軸１に螺合により取り付けられているが、螺合に代え、溶接にすることも可能である。
【００２１】
支え棒６は、コイルエンドを冷却する冷却空気が流通する冷却通風ダクト９内を貫通するように設けているが、冷却通風ダクト９以外のところに配置することも可能である。この場合でも、支え棒６は回転軸１の軸方向に対してほぼ直交するように取り付けるようにしなければならない。
【００２２】
支え棒６は回転軸１に直に取り付けられるので、従来例（支え棒は突極界磁コアに取り付けられる）と違い、突極界磁コアにはコイルエンドの撓みを抑える力がかからないので、突極界磁コアの強度を低減でき、結果的に突極界磁コアの軽量化を計ることができる。
【００２３】
コイル押え板５に設けられた通風孔７は、冷却通風ダクト９の上に来るようにおかれるので、冷却通風ダクト９を流れる冷却空気の通りがよく、コイルエンドの冷却が良く行なわれる。
【００２４】
コイル押え板５は、内側端部が締付側板３の係止穴に係合されるので、位置ずれがなく、コイルエンドを所定の位置で押えることができるのでコイルエンドの撓みを確実に抑えることができる。
【００２５】
支え棒６として止めナット８の不要なボルトを用いることも可能である。しかし、締め付け量の加減ができる止めナット８を用いることで、コイル押え板５によるエンドコイルの抑え、適当なところに調整できるのである。
【００２６】
上記の実施例は回転発電機であるが、本発明は回転電動機を含む回転電気機械にも適用できるものである。
【図面の簡単な説明】
【００２７】
【図１】本発明の一実施例に係わるもので、突極界磁コアおよび界磁コイルの一部分を示す平面図。
【図２】本発明の一実施例に係わるもので、突極界磁コアおよび界磁コイルの一部分を示す正面図。
【図３】本発明の一実施例に係わるもので、図１のＡ−Ａ断面図。
【符号の説明】
【００２８】
１…回転軸１、２…突極界磁コア、３…締付側板、４…界磁コイル、５…コイル押え板、６…支え棒、７…通風孔、８…止めナット、９…冷却通風ダクト。
【図１】
2005080374.tif 000003
【図２】
2005080374.tif 000004
【図３】
2005080374.tif 000005